(57)【要約】【課題】トランスを不要とする小型、軽量、低価格の蛍光表示管駆動電源回路を提供する。【解決手段】直流入力から交流電圧を発生させて蛍光表示管のフィラメントを駆動する蛍光表示管駆動電源回路において、フィラメントの両端にスイッチング素子を含む２つの主電流路を接続し、所定の波形を発生する波形発生器の出力によって２つの主電流路のスイッチング素子を交互にオンオフさせることによってフィラメントに交流電圧を印加する。従来トランスでは実現できなかった数十から数ｋＨｚの低周波の駆動が可能となる。【選択図】　図１
2004029496.tif 000002
【特許請求の範囲】
【請求項１】
直流入力から交流電圧を発生させて蛍光表示管のフィラメントを駆動する蛍光表示管駆動電源回路において、
フィラメントの両端にスイッチング素子を含む２つの主電流路を接続し、
所定の波形を発生する波形発生器の出力によって２つの主電流路のスイッチング素子を交互にオンオフさせることによってフィラメントに交流電圧を印加する
ことを特徴とする蛍光表示管駆動電源回路。
【請求項２】
直流入力から交流電圧を発生させて蛍光表示管のフィラメントを駆動する蛍光表示管駆動電源回路において、
フィラメントの両端にスイッチング素子を含む２つの主電流路を接続し、
所定の矩形波を発生する波形発生器の出力によって２つの主電流路のスイッチング素子を交互にオンオフさせることによってフィラメントに交流電圧を印加することを特徴とする蛍光表示管駆動電源回路。
【請求項３】
２つの主電流路がＨブリッジ回路構成とされた請求項１または請求項２記載の蛍光表示管駆動電源回路。
【発明の詳細な説明】
【０００１】
【発明の属する技術分野】
本発明は、蛍光表示管駆動電源、特にフィラメント駆動電圧を発生させる回路に関するものである。
【０００２】
【従来の技術】
蛍光表示管は３極真空管の一種であり、その最小単位は陽極（アノード：Ａ）、グリッド（Ｇ）、フィラメント（陰極：Ｆ）で構成されている。蛍光体の発光作用を利用して文字、数字などを表示するのに用いられる。
【０００３】
蛍光体が塗布された発光セグメントを陽極とし、グリッドと発光させたいセグメントに陰極に対して正の電位を与えると、加熱された陰極から発生している熱電子がグリッドにより加速される。この熱電子が加速されて正の電位の加わっているセグメントのみに当たって蛍光体を発光させる。
【０００４】
蛍光表示管用フィラメントの駆動電源は一般に交流が用いられ、この交流を得る方法として一般にロイヤー発振回路が利用されている。このロイヤー発振回路は余りにも一般的なので説明を省略するが、特に周波数の低い交流を得ようとする場合、トランスが大きくなり、重くなるだけでなく、トランスのコストが大きくなるという問題が生じる。そのため、数十Ｈｚから数ｋＨｚといった低い周波数は事実上得ることができなかった。
【０００５】
【発明が解決しようとする課題】
本発明は、トランスを不要とする小型、軽量、低価格の蛍光表示管駆動電源回路を提供するものである。
【０００６】
【課題を解決するための手段】
本発明は、Ｈブリッジに構成した２つの主電流路を交互にオンオフさせる回路構成を採用することによって上記の課題を解決するものである。
【０００７】
すなわち、直流入力から交流電圧を発生させて蛍光表示管のフィラメントを駆動する蛍光表示管駆動電源回路において、フィラメントの両端にスイッチング素子を含む２つの主電流路を接続し、所定の波形を発生する波形発生器の出力によって２つの主電流路のスイッチング素子を交互にオンオフさせることによってフィラメントに交流電圧を印加することに特徴を有するものである。
【０００８】
【発明の実施の形態】
フィラメントの両端に接続された２つの主電流路には逆方向に電流を流すようにそれぞれスイッチング素子を含み、波形発生器の出力によって交互にオンオフする。これによってフィラメントを流れる電流の方向が交互に変わり、交流駆動されることになる。
【０００９】
【実施例】
以下、図面を参照して、本発明の実施例について説明する。図１は本発明の実施例を示す回路図である。蛍光表示管のフィラメントＦの両端Ｆ１、Ｆ２にそれぞれ主電流路が接続されている。フィラメントのＦ１側に接続される主電流路はトランジスタＱ１―Ｑ４で構成され、フィラメントのＦ２側に接続される主電流路はトランジスタＱ２―Ｑ３で構成される。
【００１０】
マルチバイブレータ等で構成されている波形発生器１１の出力ＱがトランジスタＱ５の制御端子に接続され、反転出力ＮＯＴ−ＱがトランジスタＱ６の制御端子に接続されている。トランジスタＱ５のコレクタは入力端子とトランジスタＱ１の制御端子に接続され、トランジスタＱ６のコレクタは入力端子とトランジスタＱ２の制御端子に接続される。
【００１１】
エミッタが入力端子と接続されたトランジスタＱ１、Ｑ２のコレクタはそれそれフィラメントの両端Ｆ１、Ｆ２に接続されるとともに、トランジスタＱ３、Ｑ４のコレクタと接続され、トランジスタＱ３、Ｑ４のエミッタはＧＮＤに接続される。トランジスタＱ５、Ｑ６のエミッタはそれぞれトランジスタＱ４、Ｑ３の制御端子とＧＮＤに接続される。回路中の抵抗は制御端子に印加する電流を制御するためのものである。
【００１２】
波形発生器１１から矩形波が出力されてトランジスタＱ５がオンとなるとき、トランジスタＱ６は反転出力によりオフとなる。トランジスタＱ５がオンとなればトランジスタＱ１もオンとなり、このときトランジスタＱ６がオフであるのでトランジスタＱ３もオフとなってトランジスタＱ１からフィラメントＦに電流が流れる。このときトランジスタＱ４もオンとなっているので、フィラメントＦからトランジスタＱ４を介してＧＮＤへ流れる。
【００１３】
逆に、波形発生器１１から矩形波が反転出力されてトランジスタＱ６がオンとなるとき、トランジスタＱ５はオフとなる。トランジスタＱ６がオンとなればトランジスタＱ２もオンとなり、このときトランジスタＱ５がオフであるのでトランジスタＱ４もオフとなってトランジスタＱ２からフィラメントＦに電流が流れる。このときトランジスタＱ３もオンとなっているので、フィラメントＦからトランジスタＱ３を介してＧＮＤへ流れる。これを繰り返すことによってフィラメントＦは交流駆動されることになる。
【００１４】
蛍光表示管のアノードＡ、グリッドＧの電流は、トランジスタＱ１―Ｑ４あるいはトランジスタＱ２―Ｑ３を介してＧＮＤに帰路されることになる。
【００１５】
上記の例では波形発生器の出力波形を矩形波として説明したが、サイン波や三角波等任意の波形を利用することができる。また、矩形波に変調をかけてＰＷＭとしてもよい。スイッチング素子はバイポーラトランジスタを用いたが、ＭＯＳＦＥＴやＳＩＴとしてもよい。さらに、波形発生器はＤＣ／ＤＣコンバータに用いられるスイッチング信号と同期させたり、その信号を用いることもできる。
【００１６】
【発明の効果】
本発明によれば、フィラメントに供給する電圧をトランスを使わずに発生させることができ、小型、軽量、低コストで低周波領域で利用できる蛍光管駆動電源回路が得られる。トランスでは事実上極めて困難であった低周波を含め、任意の周波数で駆動することが可能となる。
【００１７】
また、トランスを用いると通常フィラメントはフローティング状態となるが、本発明では非フローティングとすることができ、輻射ノイズを大幅に低減させることができる。その上、トランスレスとなるので回路のＩＣ化、ハイブリッドＩＣ化が容易になる利点もある。
【図面の簡単な説明】
【図１】本発明の実施例を示す回路図
【符号の説明】
Ａ：アノード
Ｇ：グリッド
Ｆ：フィラメント
Ｑ１〜Ｑ６：トランジスタ
１１：波形発生器
【図１】
2004029496.tif 000003